(57)【要約】【課題】  夜間に横からの自動車の光を反射し難いこと。【解決手段】  この反射タスキ１００は、タスキ本体１の一部であって体の前後に相当する位置に設けた立体部２を有し、この立体部は断面がかまぼこ形状の湾曲面５を有する。湾曲面５の表面には、反射材４が幅方向に湾曲して設けられる。この反射タスキ１００を体に対して肩から掛けると、反射材４がタスキの幅方向に湾曲していることから、体の正面から自動車等の光が当たっても当該光を反射でき、斜め方向、横方向から当たっても当該光を反射できる。このため、反射タスキ１００を装着した人を自動車等から認識しやすい。【選択図】  図１
2011164481.tif 000002
【特許請求の範囲】
【請求項１】
体に装着する本体と、当該本体に設けられ幅方向に湾曲面を有する立体部と、当該立体部の湾曲面に設けた反射面と、を備えたことを特徴とする反射装着具。
【請求項２】
タスキ本体の一部に幅方向に湾曲面を有する立体部を有し、当該立体部の表面に反射面を設けたことを特徴とする反射タスキ。
【請求項３】
タスキ本体の一部にその表面に対して略垂直に垂直面が形成された立体部を有し、前記表面及び垂直面に反射面を設けたことを特徴とする反射タスキ。
【請求項４】
前記立体部が長さ方向に分割した構造であることを特徴とする請求項２又は３に記載の反射タスキ。
【請求項５】
前記立体部の内部にクッション材を設けたことを特徴とする請求項１〜４のいずれか一つに記載の反射タスキ。
【請求項６】
タスキ本体の一部に、蛇腹構造の筒状体であって且つその表面に反射面を有する立体部を備えたことを特徴とする反射タスキ。
【請求項７】
タスキ本体の一部に、複数の筒体同士を挿入する伸縮構造であって且つその表面に反射面を有する立体部を備えたことを特徴とする反射タスキ。
【請求項８】
タスキ本体の一部にコイル状の立体部を有し、この立体部の表面に反射面を設けたことを特徴とする反射タスキ。
【請求項９】
ベストその他のアウターウェアの前又は後に略縦方向に設けられ且つその幅方向に湾曲面を有する立体部を有し、当該立体部の表面に反射面を設けたことを特徴とする反射アウターウェア。
【請求項１０】
前記立体部に長手方向に棒体を内蔵させたことを特徴とする請求項９に記載の反射アウターウェア。
【請求項１１】
ランドセルその他のカバンの略縦方向に設けられ且つその幅方向に湾曲面を有する立体部を有し、当該立体部の表面に反射面を設けたことを特徴とする反射カバン。
【請求項１２】
ランドセル、ショルダーバッグのかぶせに装着するカバーであって、略縦方向に設けられ且つその幅方向に湾曲面を有する立体部を有し、当該立体部の表面に反射面を設けたことを特徴とする反射カバンカバー。
【請求項１３】
本体に表された文字または図形が立体部を有し、この立体部は幅方向に湾曲面を有すると共に当該立体部の表面に反射材を設けたことを特徴とする反射立体標識。
【発明の詳細な説明】
【技術分野】
【０００１】
本発明は、横からの光が反射しやすいようにする反射装着具、反射タスキ、反射アウターウェア及び反射カバン及び反射カバンカバー並びに反射立体標識に関するものである。
【背景技術】
【０００２】
従来から自動車のドライバー等からの視認性を高めるためのタスキとして、下記特許文献１に記載のような夜行反射材タスキが知られている。この夜光反射材タスキは、タスキ本体に対して発光ダイオードを複数設けると共に当該タスキ本体の一部に電源を設けた構造である。また、タスキ本体の表面にはテープ状の反射材が設けられている。この夜光反射材タスキは、電源のスイッチを入れることで発光ダイオードが点灯し、広い範囲でタスキをかけた人の存在を知らせることが可能である。また、反射材が自動車の光を反射することでも、タスキをかけた人の存在を知らせることができる。
【先行技術文献】
【特許文献】
【０００３】
【特許文献１】実開平７−１４８３号公報
【発明の概要】
【発明が解決しようとする課題】
【０００４】
しかしながら、上記従来の夜光反射材タスキでは、発光ダイオードを用いているため電源が必要であり、このためタスキが重くなると共に防水構造を採用しなければならないという問題点がある。更に、この夜光反射材タスキのような反射材では、横からの自動車の光を反射し難いという問題点がある。この発明は、これらの問題点を解決するためになされたものである。
【課題を解決するための手段】
【０００５】
そこで、この発明の反射装着具は、体に装着する本体と、当該本体に設けられ幅方向に湾曲面を有する立体部と、当該立体部の湾曲面に設けた反射面と、を備えたことを特徴とする。
【０００６】
また、この発明の反射タスキは、タスキ本体の一部に幅方向に湾曲面を有する立体部を有し、当該立体部の表面に反射面を設けたことを特徴とする。
【０００７】
また、この発明の反射タスキは、タスキ本体の一部にその表面に対して略垂直に垂直面が形成された立体部を有し、前記表面及び垂直面に反射面を設けたことを特徴とする。
【０００８】
また、この発明の反射タスキは、上記発明において、前記立体部が長さ方向に分割した構造であることを特徴とする。
【０００９】
また、この発明の反射タスキは、上記発明において、前記立体部の内部にクッション材を設けたことを特徴とする。
【００１０】
また、この発明の反射タスキは、タスキ本体の一部に、蛇腹構造の筒状体であって且つその表面に反射面を有する立体部を備えたことを特徴とする。
【００１１】
また、この発明の反射タスキは、タスキ本体の一部に、複数の筒体同士を挿入する伸縮構造であって且つその表面に反射面を有する立体部を備えたことを特徴とする。
【００１２】
また、この発明の反射タスキは、タスキ本体の一部にコイル状の立体部を有し、この立体部の表面に反射面を設けたことを特徴とする。
【００１３】
また、この発明のアウターウェアは、ベストその他のアウターウェアの前又は後に略縦方向に設けられ且つその幅方向に湾曲面を有する立体部を有し、当該立体部の表面に反射面を設けたことを特徴とする。
【００１４】
また、この発明のアウターウェアは、上記発明において、前記立体部に長手方向に棒体を内蔵させたことを特徴とする。
【００１５】
また、この発明の反射カバンは、ランドセルその他のカバンの略縦方向に設けられ且つその幅方向に湾曲面を有する立体部を有し、当該立体部の表面に反射面を設けたことを特徴とする。
【００１６】
また、この発明の反射カバンカバーは、ランドセル、ショルダーバッグのかぶせに装着するカバーであって、略縦方向に設けられ且つその幅方向に湾曲面を有する立体部を有し、当該立体部の表面に反射面を設けたことを特徴とする。
【００１７】
また、この発明の反射立体標識は、本体に表された文字または図形が立体部を有し、この立体部は幅方向に湾曲面を有すると共に当該立体部の表面に反射材を設けたことを特徴とする。
【図面の簡単な説明】
【００１８】
【図１】この発明の実施の形態１にかかる反射タスキの全体を示す断面図である。
【図２】図１に示した反射タスキの幅方向の断面図である。
【図３】反射タスキの使用例を示す説明図である。
【図４】反射タスキの使用例を示す説明図である。
【図５】この発明の実施の形態２にかかる反射タスキの全体を示す断面図である。
【図６】図５に示した反射タスキの幅方向の断面図である。
【図７】反射タスキの使用例を示す説明図である。
【図８】反射タスキの使用例を示す説明図である。
【図９】この発明の実施の形態３にかかる反射タスキの全体を示す断面図である。
【図１０】図９に示した反射タスキの幅方向の断面図である。
【図１１】反射タスキの使用例を示す説明図である。
【図１２】反射タスキの使用例を示す説明図である。
【図１３】この発明の実施の形態４にかかる反射タスキの全体を示す断面図である。
【図１４】図１３に示した反射タスキの幅方向の断面図である。
【図１５】反射タスキの使用例を示す説明図である。
【図１６】反射タスキの使用例を示す説明図である。
【図１７】この発明の実施の形態５にかかる反射タスキの全体を示す断面図である。
【図１８】図１７に示した反射タスキを縮めた場合の断面図である。
【図１９】反射タスキの使用例を示す説明図である。
【図２０】反射タスキの使用例を示す説明図である。
【図２１】この発明の実施の形態１にかかる反射タスキの全体を示す断面図である。
【図２２】図２１に示した反射タスキの縮めた場合の断面図である。
【図２３】反射タスキの使用例を示す説明図である。
【図２４】反射タスキの使用例を示す説明図である。
【図２５】この発明の実施の形態５にかかる反射タスキの使用状態を示す説明図である。
【図２６】この発明の実施の形態８にかかる反射ベストを示す説明図である。
【図２７】この発明の実施の形態８にかかる反射ベストを示す説明図である。
【図２８】実施の形態８にかかる反射ベストの変形例を示す説明図である。
【図２９】実施の形態８にかかる反射ベストの変形例を示す説明図である。
【図３０】この発明の実施の形態９にかかる反射タスキを示す平面図である。
【図３１】図３０に示した反射タスキを閉じた場合を示す平面図である。
【図３２】図３０に示した反射タスキを示す断面図である。
【図３３】反射タスキの使用例を示す説明図である。
【図３４】反射タスキの使用例を示す説明図である。
【図３５】この発明の実施の形態１０にかかる反射ランドセルを示す説明図である。
【図３６】実施の形態１０にかかる反射ランドセルの変形例を示す説明図である。
【図３７】この発明の実施の形態１１にかかる反射ランドセルカバーを示す説明図である。
【図３８】図３７に示した反射ランドセルカバーを示す断面図である。
【図３９】この発明の実施の形態１２にかかる立体標識を示す斜視図である。
【図４０】図３９に示した立体標識の正面図である。
【図４１】図３９に示した立体標識の側面図である。
【図４２】図３９に示した立体標識の断面図である。
【図４３】図３９に示した立体標識の断面図である。
【図４４】この発明の実施の形態１２にかかる立体標識を示す斜視図である。
【図４５】図３９に示した立体標識の正面図である。
【発明を実施するための形態】
【００１９】
（実施の形態１）
図１は、この発明の実施の形態１にかかる反射タスキの全体を示す断面図である。図２は、図１に示した反射タスキの幅方向の断面図である。この反射タスキ１００は、ポリエステルのタスキ本体１と、タスキ本体１の一部であって体の前後に相当する位置に設けた立体部２とを有する。立体部２は、図２に示すように、その断面がかまぼこ形であり、その結果、表面はタスキの幅方向に湾曲面５を有することになる。また、当該立体部２はタスキ本体１と同様にポリエステル材からなり、内部にはクッション材３としてスポンジまたはウレタンが封入されている。また、空気袋をクッション材３として用いても良い（図示省略）。この場合、空気袋に空気を入れた際に初めて立体部２が膨らむことになる。
【００２０】
この立体部２の表面には、平面状の反射材４が設けられている。反射材４は、例えばライナー上に多数の極小ガラスビーズを展開し且つこのガラスビーズの上に透明プラスチックフィルムを積層した構造のガラスビーズ型反射材からなる。また、直角三角錐体の立体プリズムを表面に並べた構造のプリズム型反射材を用いても良い。このような反射材４を立体部２の湾曲面５に展着される結果、当該反射材４がタスキ本体１の幅方向に湾曲して設けられることになる。なお、反射材４の素材自体でクッション材３を封入して前記立体部２を構成しても良い。なお、この立体部２は、タスキ本体１から分離可能であり、面テープ等により着脱自在としても良い（図示省略）。
【００２１】
図３及び図４は、反射タスキの使用例を示す説明図である。このように上記反射タスキ１００を体に対して肩から掛けると、反射材４がタスキの幅方向に湾曲していることから、体の正面から自動車等の光が当たっても当該光を反射でき、また、斜め方向や横方向から当たっても当該光を反射できる。このため、反射タスキ１００を装着した人を自動車等から認識しやすい。また、発光ダイオード等の光源を設けなくても広い認識角を得ることができ、防水の必要性もない。更に、全体として軽量である。特に、プリズム型の反射材は一方向からの光に対して強く反射するので、これを湾曲して設けることで強い反射光を得ることができる。
【００２２】
以上、この反射タスキ１００によればあらゆる角度からの光を反射でき、軽量かつ簡易な構造で夜間の歩行者の安全を確保できる。また、立体部２はポリエステル布でクッション材３を封入した構造であるため、自在に変形する。このため、反射タスキ１００を装着しても違和感がない。
【００２３】
（実施の形態２）
図５は、この発明の実施の形態２にかかる反射タスキの全体を示す断面図である。図６は、図５に示した反射タスキの幅方向の断面図である。この反射タスキ２００は、ポリエステルのタスキ本体１と、タスキ本体１の一部であって体の前後に相当する位置に設けた立体部２０２とを有する。立体部２０２は円柱形状であり、その結果、立体部２０２の表面はタスキ本体１の幅方向に湾曲面２０５を有することになる。また、当該立体部２０２は長手方向に３分割され、中央にタスキ本体１が貫通する。また、立体部２０２は、タスキ本体１と同様にポリエステル材からなり、内部にはクッション材２０３としてスポンジまたはウレタンが封入されている。また、空気袋をクッション材２０３として用いても良い（図示省略）。この場合、空気袋に空気を入れた際に初めて立体部２が膨らむことになる。
【００２４】
この立体部２０２の表面には、平面上の反射材２０４が設けられている。反射材２０４は、例えばライナー上に多数の極小ガラスビーズを展開し且つこのガラスビーズの上に透明プラスチックフィルムを積層した構造のガラスビーズ型反射材からなる。また、直角三角錐体の立体プリズムを表面に並べた構造のプリズム型反射材を用いても良い。このような反射材２０４を立体部２０２の湾曲面２０５に展着することで、当該反射材２０４が幅方向に湾曲して設けられることになる。なお、反射材２０４の素材自体でクッション材２０３を封入して構成にしても良い。
【００２５】
図７及び図８は、反射タスキの使用例を示す説明図である。この反射タスキ２００は上記実施の形態１の反射タスキ１００と同じ効果を奏すると共に、立体部２０２を分割することで、あらゆる方向への光の反射性能を損なうことなく、当該立体部２０２を設けた部分を自由に変形できる。このため、反射タスキ２００を装着した状態でジョギングや体操等の運動をしても違和感がない。
【００２６】
（実施の形態３）
図９は、この発明の実施の形態３にかかる反射タスキの全体を示す断面図である。図１０は、図９に示した反射タスキの幅方向の断面図である。この反射タスキ３００は、ポリエステルのタスキ本体１と、タスキ本体１の一部であって体の前後に相当する位置に設けた立体部３０２とを有する。立体部３０２は、図１０に示すように、その断面が逆Ｔ字形状あるいは凸形状であり、タスキ本体１の表面に対して略垂直に垂直面３０５が形成される。この垂直面３０５はウレタンで構成されるので、前記タスキ本体１に対して略垂直に立つことができる。
【００２７】
この立体部３０２の表面３０３及び垂直面３０５には、反射材３０４が展着されている。当該反射材３０４は、上記実施の形態１において例示したガラスビーズ型反射材またはプリズム型反射材である。
【００２８】
図１１及び図１２は、反射タスキの使用例を示す説明図である。このように上記反射タスキ３００を体に対して肩から掛けると、反射材３０４がタスキ本体１の表面３０３及び垂直面３０５に設けられていることから、体の正面から自動車等の光が当たっても当該光を反射でき、斜め方向または横方向から当たっても当該光を反射できる。このため、反射タスキ３００を装着した人を自動車等から認識しやすい。また、発光ダイオード等の光源を設けなくても広い認識角を得ることができ、防水の必要性もない。更に、全体として軽量である。特に、プリズム型の反射材３０４は一方向からの光に対して強く反射するので、これを湾曲して設けることで強い反射光を得ることができる。
【００２９】
以上、この反射タスキ３００によればあらゆる角度からの光を反射でき、軽量かつ簡易な構造で夜間の歩行者の安全を確保できる。特に、垂直面３０５に反射材３０４を設けることで横からの光を特に強く反射できる。
【００３０】
（実施の形態４）
図１３は、この発明の実施の形態４にかかる反射タスキの全体を示す断面図である。図１４は、図１３に示した反射タスキの幅方向の断面図である。この反射タスキ４００は、実施の形態３にかかる反射タスキ３００と略同じ構造であるが、体の前後に位置することになる各立体部４０２を均等に３分割した点が異なる。即ち、この反射タスキ４００は、タスキ本体１の表面４０３にウレタンからなる垂直面４０５垂設し、当該表面４０３及び垂直面４０５に反射材４０４を展着した構造である。
【００３１】
図１５及び図１６は、反射タスキの使用例を示す説明図である。このように、立体部４０２を分割することで、あらゆる方向への光の反射性能を損なうことなく、当該立体部４０２を設けた部分を自由に変形できる。特に、垂直面４０５は面方向に曲げ難いので、分割することの効果は大である。このため、反射タスキ４００を装着した状態でジョギングや体操等の運動をしても違和感がない。
【００３２】
（実施の形態５）
図１７は、この発明の実施の形態５にかかる反射タスキの全体を示す断面図である。図１８は、図１７に示した反射タスキを縮めた場合の断面図である。この反射タスキ５００は、ポリエステルのタスキ本体１と、タスキ本体１の一部であって体の前後に相当する位置に設けた立体部５０２とを有する。立体部５０２は、図１７に示すようにプラスチック製の蛇腹構造の筒状体５０３であり、内部は空洞となる。この立体部５０２は、その一部においてタスキ本体１に対して固定されている。
【００３３】
この立体部５０２の表面には、反射材５０４が設けられている。当該反射材５０４は、上記実施の形態１において例示したガラスビーズ型反射材またはプリズム型反射材である。反射材５０４は、蛇腹部分の一部にのみ設けても良い。例えば、蛇腹の折り曲げ部分５０６を避けて反射材５０４を張り付けるようにする。立体部５０２を蛇腹構造とすることで反射材５０４を使用したいときに立体部５０２を伸ばし、邪魔になったときには立体部５０２を縮めてコンパクトにできる。
【００３４】
図１９及び図２０は、反射タスキの使用例を示す説明図である。このように上記反射タスキ５００を体に対して肩から掛け、立体部５０２の蛇腹構造を伸ばした状態にすると、立体部５０２の反射材５０４が３６０度にわたって湾曲部５０５を有するため、体の正面から自動車等の光が当たっても当該光を反射でき、斜め方向、横方向から当たっても当該光を反射できる。このため、反射タスキ５００を装着した人を自動車等から認識しやすい。また、発光ダイオード等の光源を設けなくても広い認識角を得ることができ、防水の必要性もない。更に、全体として軽量である。特に、プリズム型の反射材５０４は一方向からの光に対して強く反射するので、これを湾曲して設けることで強い反射光を得ることができる。更に、反射材５０４が邪魔なときには小さく縮めてしまえばよい。また、途中まで縮めれば、反射性能を保ちつつ、運動等の邪魔にならない。
【００３５】
以上、この反射タスキ５００によればあらゆる角度からの光を反射でき、軽量かつ簡易な構造で夜間の歩行者の安全を確保できる。また、立体部５０２は蛇腹構造であるため、図１８に示すように、必要に応じて伸縮して使用できる。
【００３６】
（実施の形態６）
図２１は、この発明の実施の形態１にかかる反射タスキの全体を示す断面図である。図２２は、図２１に示した反射タスキの縮めた場合の断面図である。図２３及び図２４は、反射タスキの使用例を示す説明図である。この反射タスキ６００は、ポリエステルのタスキ本体１と、タスキ本体１の一部であって体の前後に相当する位置に設けた立体部６０２とを有する。立体部６０２は、３つの筒体６０６，６０７，６０８からなり、第一の筒体６０６の内径は第二の筒体６０７の外径より大きく、第二の筒体６０７の内径は第三の筒体６０８の外径より大きく、これにより、第三の筒体６０８を第二の筒体６０７に、第二の筒体６０７を第一の筒体６０６に挿入可能となる。各筒体６０６〜６０８の長さは略同じであり、筒体同士を挿入することで全体として伸縮構造となる。また、第一の筒体６０６と第三の筒体６０８の端部にタスキ本体１が取り付けられる。また、当該立体部６０２は筒体である結果、その表面はタスキの幅方向に湾曲面６０５を有することになる。なお、各筒体６０６，６０７，６０８は隣接する筒体６０６，６０７，６０８から完全に抜けないように各筒体６０６，６０７，６０８の端部近傍に係止構造６０９，６１０が設けられている。具体的には、当該係止構造６０９，６１０は、端部径方向に設けた鍔同士が引っ掛かる構造である。
【００３７】
当該立体部６０２はプラスチック製であり、その表面には、反射材６０４が設けられている。反射材６０４は実施の形態１に示したガラスビーズ型反射材またはプリズム型反射材を用いる。このような反射材６０４を立体部６０２の表面に展着することで、当該反射材６０４が幅方向に湾曲して設けられることになる。
【００３８】
上記反射タスキ６００を体に対して肩から掛けると、反射材６０４がタスキの幅方向に３６０度の湾曲部６０５（筒体の表曲面）を有することから、体の正面から自動車等の光が当たっても当該光を反射でき、斜め方向、横方向から当たっても当該光を反射できる。このため、反射タスキ６００を装着した人を自動車等から認識しやすい。また、発光ダイオード等の光源を設けなくても広い認識角を得ることができ、防水の必要性もない。更に、全体として軽量である。特に、プリズム型の反射材は一方向からの光に対して強く反射するので、これを湾曲して設けることで強い反射光を得ることができる。
【００３９】
更に、反射材６０４が邪魔なときには各筒体６０６，６０７，６０８を収納して小さく縮めてしまえばよい。この場合でも、第一の筒体６０６により光の反射が可能となる。また、第一の筒体６０６と第二の筒体６０７のみ、又は第二の筒体６０７と第三の筒体６０８のみ縮めて用いることもできる。
【００４０】
以上、この反射タスキ６００によればあらゆる角度からの光を反射でき、軽量かつ簡易な構造で夜間の歩行者の安全を確保できる。また、立体部６０２は必要に応じて伸縮して使用できる。
【００４１】
（実施の形態７）
図２５は、この発明の実施の形態５にかかる反射タスキの使用状態を示す説明図である。この反射タスキ７００は、ポリエステルのタスキ本体１と、タスキ本体１の一部であって体の前後に相当する位置に設けた立体部７０２とを有する。立体部７０２は、可撓性の高いプラスチック製であってコイル体となる。コイル体の断面は円形または楕円形である。
【００４２】
この立体部７０２の表面には、反射材７０４が設けられている。当該反射材７０４は、上記実施の形態１において例示したガラスビーズ型反射材またはプリズム型反射材である。反射材７０４は、テープ状であってコイル体の表面に巻き付けられ、その結果、コイル体の表面に反射材７０４による湾曲部が形成される。なお、反射材７０４は、コイル体に対して一定の間隔で巻きつけるようにしても良い。
【００４３】
このように上記反射タスキ７００を体に対して肩から掛けると、自重により立体部７０２がある程度伸びる。また、当該立体部７０２のコイル体の表面に設けた反射材７０４が３６０度にわたって湾曲部を有するため、体の正面から自動車等の光が当たっても当該光を反射でき、斜め方向または横方向から当たっても当該光を反射できる。特に、コイル状になっているため上下方向からの光についても効果的に反射できる。このため、反射タスキ７００を装着した人を自動車等から認識しやすい。また、発光ダイオード等の光源を設けなくても広い認識角を得ることができ、防水の必要性もない。更に、全体として軽量である。特に、プリズム型の反射材は一方向からの光に対して強く反射するので、これを湾曲して設けることで強い反射光を得ることができる。更に、コイル状であるため立体部７０２を設けた部分も自由に変形できる。このため、反射タスキ７００を装着した状態でジョギングや体操等の運動をしても違和感がない。また、使用していない状態ではコイル体が縮まるのでコンパクトになり、収納しやすくなる。
【００４４】
以上、この反射タスキ７００によればあらゆる角度からの光を反射でき、軽量かつ簡易な構造で夜間の歩行者の安全を確保できる。また、立体部７０２はコイル体からなるため、運動等をしても違和感がなく、使用していないときにはコンパクトに収納できる。
【００４５】
（実施の形態８）
図２６及び図２７は、この発明の実施の形態８にかかる反射ベストを示す説明図である。この反射ベスト８００は、工事現場等の作業員や誘導員等がアウターウェアとして着用するポリエステル製のベスト本体８０１の前後左右に、実施の形態１に示した長尺の立体部８０２を略縦方向に設けた構造である。立体部８０２が設けられていない部分には反射材８０６が設けられている。立体部８０２は、その断面がかまぼこ形状であり、その結果、幅方向に湾曲面８０５を有することになる。なお、この立体部８０２は、ベスト本体８０１から分離可能であり、面テープ等により着脱自在としても良い（図示省略）。
【００４６】
また、当該立体部８０２はベスト本体８０１と同様にポリエステル材からなり、内部にはクッション材８０３としてスポンジやウレタンが封入されている（図２６の破断部を参照）。また、空気袋をクッション材３として用いても良い（図示省略）。この場合、空気袋に空気を入れた際に初めて立体部２が膨らむことになる。
【００４７】
この立体部８０２の表面には、反射材８０４が設けられている。反射材８０４は、例えばライナー上に多数の極小ガラスビーズを展開し且つこのガラスビーズの上に透明プラスチックフィルムを積層した構造のガラスビーズ型反射材からなる。また、直角三角錐体の立体プリズムを表面に並べた構造のプリズム型反射材を用いても良い。このような反射材８０４を立体部８０２の湾曲面８０５に展着することで、当該反射材８０４が幅方向に湾曲して設けられることになる。
【００４８】
上記反射ベスト８００を着用すると、反射材８０４が立体部８０２の幅方向に湾曲していることから、体の正面から自動車等の光が当たっても当該光を反射でき、斜め方向、横方向から当たっても当該光を反射できる。このため、反射ベスト８００を装着した人を自動車等から認識しやすい。また、全体として軽量である。特に、プリズム型の反射材８０４は一方向からの光に対して強く反射するので、これを湾曲して設けることで強い反射光を得ることができる。
【００４９】
以上、この反射ベスト８００によればあらゆる角度からの光を反射でき、軽量かつ簡易な構造で着用者の安全を確保できる。また、立体部はポリエステル布でクッション材を封入した構造であるため、自在に変形する。このため、反射ベストを装着しても違和感がない。
【００５０】
なお、前記立体部８０２の長手方向の中心に硬質プラスチック、カーボンファイバー、アルミニウム等の軽金属の棒体８０８を内蔵しても良い（図２６において点線で示す）。即ち、立体部８０２に封入したスポンジの長手方向の略中心に当該棒体８０８を挿し込むようにする。これにより、自動車、パワーショベル、鉄骨等がぶつかったときに体を守ることができる。また、棒体８０８の周囲にクッション材８０３が配置されることになるので、ぶつかったときの体への衝撃を和らげることができる。
【００５１】
また、反射ベスト８００に、発光ダイオード等の光源を設けても良い（図示省略）。これにより、より車からの視認性を高めることができる。更に、図２８及び図２９に示すように、上記立体部８０２を３分割構造にしても良い。このようにすれば、あらゆる方向への光の反射性能を損なうことなく、当該立体部８０２が自由に変形する。このため、反射ベスト８００を装着した状態で大きな動作を伴う作業をしても違和感がない。
【００５２】
なお、この実施の形態８では作業ベストを例に挙げて説明したが、ジャンパーやレインウェア等のアウターウェアにも適用できる。例えばジャンパーに用いる場合も上記作業ベストと同様に上記立体部８０２をジャンパーの前又は後の略縦方向に設ける。これにより、夜間の視認性が飛躍的に高まる。
【００５３】
（実施の形態９）
図３０は、この発明の実施の形態９にかかる反射タスキを示す平面図である。図３１は、図３０に示した反射タスキを閉じた場合を示す平面図、図３２は断面図である。この反射タスキ８５０は、ポリエステルのタスキ本体１と、タスキ本体１の一部であって体の前後に相当する位置に設けた立体部８５２とを有する。立体部８５２は、図３０に示すように樹脂等の柔軟性のある素材からなる矩形の平板をタスキ本体１の両側に設けると共に当該平板８５６を湾曲させて端縁に設けたホック８５７により相互に固定することで構成される。これにより、図３２に示すように、断面がかまぼこ形状の湾曲部８５５を形成する。平板８５６の表面には反射材８５４が設けられている。
【００５４】
反射材８５４は、例えばライナー上に多数の極小ガラスビーズを展開し且つこのガラスビーズの上に透明プラスチックフィルムを積層した構造のガラスビーズ型反射材からなる。また、直角三角錐体の立体プリズムを表面に並べた構造のプリズム型反射材を用いても良い。このような反射材８５４を立体部８５２の湾曲面８５５に設けることで、当該反射材８５４が幅方向に湾曲して設けられることになる。なお、前記ホックは、面ファスナーやファスナーでもよい。
【００５５】
図３３及び図３４は、反射タスキの使用例を示す説明図である。この反射タスキは、８５０は上記実施の形態１の反射タスキ１００と同じ効果を奏すると共に、必要なときに平板８５６を湾曲させて立体部８５２を形成できる。また、反射タスキを裏返すことで反射材８５４が表側になり、平らな反射材８５４を有する反射タスキとして使用することもできる。なお、平板８５６の表裏に反射材８５４を設けるようにしても良い。
【００５６】
（実施の形態１０）
図３５は、この発明の実施の形態１０にかかる反射ランドセルを示す説明図である。この反射ランドセル９００は、小学生が着用するランドセル本体９０１の左右の側面９０７に実施の形態１と同じ構造の立体部９０２を略縦方向に設けた構造である。この立体部９０２は、その断面がかまぼこ形であり、その結果、幅方向に湾曲面９０５を有することになる。当該立体部９０２はポリエステル材からなり、内部にはクッション材９０３としてスポンジ又はウレタンが封入されている。なお、この立体部９０２のクッション材９０３として空気袋を用いても良い（図示省略）。これにより、空気袋に空気を入れた場合に立体部９０２が膨らむことになる。
【００５７】
また、立体部９０２は、面テープ９１０によりランドセル本体９０１の両側面９０７に装着される。また、立体部９０２はランドセル本体９０１の両側面９０７から大きくはみ出るようなサイズとするのが好ましい。これにより、ランドセル９００の正面からの光も反射しやすくなる。
【００５８】
この立体部９０２の表面には、反射材９０４が設けられている。反射材９０４は、例えばライナー上に多数の極小ガラスビーズを展開し且つこのガラスビーズの上に透明プラスチックフィルムを積層した構造のガラスビーズ型反射材からなる。また、直角三角錐体の立体プリズムを表面に並べた構造のプリズム型反射材を用いても良い。このようなテープ状の反射材９０４を立体部９０２の湾曲面９０５に設けることで、当該反射材９０４が幅方向に湾曲して設けられることになる。なお、立体部９０２は、ランドセル本体９０１のかぶせ９０８や肩ベルト９０９に面テープ等により略縦方向に装着できるようにしても良い。
【００５９】
上記反射ランドセル９００を着用すると、反射材９０４が立体部９０２の幅方向に湾曲していることから、体の正面から自動車等の光が当たっても当該光を反射でき、斜め方向、横方向から当たっても当該光を反射できる。このため、反射ランドセル９００を装着した小学生を自動車等から認識しやすい。また、発光ダイオード等の光源を設けなくても広い認識角を得ることができ、防水の必要性もない。更に、全体として軽量である。特に、プリズム型の反射材は一方向からの光に対して強く反射するので、これを湾曲して設けることで強い反射光を得ることができる。
【００６０】
以上、この反射ランドセル９００によればあらゆる角度からの光を反射でき、軽量かつ簡易な構造で着用者の安全を確保できる。
【００６１】
なお、立体部９０２は上記ランドセル以外のリュックサックやショルダーバッグ等にも適用できる。例えば、図３６に示すように、ショルダーバッグ９５０の側面部９５８に上記立体部９０２を着脱可能に設けても良い。ショルダーバッグ９５０は片方にかけたり、タスキ掛けしたり、手提げが付いている場合には手で下げたりと様々な使用形態が考えられる。このような各種の使用形態においても、上記立体部９０２はあらゆる角度からの光を反射でき、軽量かつ簡易な構造で着用者の安全を確保できる。
【００６２】
（実施の形態１１）
図３７は、この発明の実施の形態１１にかかる反射ランドセルカバーを示す説明図である。図３８は、図３７に示した反射ランドセルカバーを示す断面図である。この反射ランドセルカバー９６０は、小学生が使用するランドセル本体９０１のかぶせ９０８に装着するカバーであってそのカバー本体９６１の左右の側縁９６７の略縦方向に立体部９６２を設けた点に特徴がある。カバー本体９６１は表面布９６８と裏面布９６９の二重構造となる。立体部９６２は断面が円形であり、その結果、幅方向に湾曲面９６５を有することになる。当該立体部９６２はビニールやポリエステル材からなり、内部にはクッション材９６３としてスポンジまたはウレタンが封入されている。
【００６３】
この立体部９６２の表面には、反射材９６４が展着されている。反射材９６４は、例えばライナー上に多数の極小ガラスビーズを展開し且つこのガラスビーズの上に透明プラスチックフィルムを積層した構造のガラスビーズ型反射材からなる。また、直角三角錐体の立体プリズムを表面に並べた構造のプリズム型反射材を用いても良い。このような反射材９６４を立体部９６２の湾曲面９６５に展着することで、当該反射材９６４が幅方向に湾曲して設けられることになる。
【００６４】
上記反射ランドセルカバー９６０を装着したランドセルを着用すると、かぶせ９０８の左右両端に立体部９０２が位置し、その反射材９６４が立体部９６２の幅方向に湾曲していることから、体の背後から自動車等の光が当たっても当該光を反射でき、斜め方向、横方向から当たっても当該光を反射できる。このため、反射ランドセルカバー９６０を装着したランドセル本体９０１を着用した小学生を自動車等から認識しやすい。また、発光ダイオード等の光源を設けなくても広い認識角を得ることができ、防水の必要性もない。更に、全体として軽量である。特に、プリズム型の反射材は一方向からの光に対して強く反射するので、これを湾曲して設けることで強い反射光を得ることができる。
【００６５】
以上、この反射ランドセルカバー９６０によればあらゆる角度からの光を反射でき、軽量かつ簡易な構造で着用者の安全を確保できる。また、立体部９６２はポリエステル布等でクッション材９６３を封入した構造であるため、自在に変形する。このため、かぶせ９０９の開け閉めにおいて違和感がない。
【００６６】
なお、前記立体部９６２の中心に硬質プラスチックやアルミニウム等の軽金属の棒体を内蔵しても良い。また、立体部９６２の外側の湾曲面を軽金属やカーボンファイバー等により構成しても良い。これにより、転倒や物にぶつかったときにカバンの中身を守ると共に、ユーザへの衝撃を緩和できる。また、上記ランドセルカバー９６０は、図３６に示したようなショルダーバッグ９５０のかぶせに装着するような構造にしても良い。
【００６７】
（実施の形態１２）
図３９は、この発明の実施の形態１２にかかる立体標識を示す斜視図である。図４０は、図３９に示した立体標識の正面図、図４１は側面図、図４２は断面図である。この立体標識６０は進入禁止を示す交通標識であり、金属製の本体６１の片面には、交通標識を表す図形が設けられている。この図面を構成する部分は、その幅方向の断面形状がかまぼこ形の湾曲面６５となる。即ち、当該立体標識６０は本体６１に図形を立体的に表した立体部６２を有し、この立体部６２が湾曲面６５を備えたものである。
【００６８】
前記湾曲面６５には、実施の形態１に示したプリズム型反射材６４が設けられる。この結果、当該反射材６４が幅方向に湾曲して設けられることになる。なお、本体６１の下部には、当該立体標識を立てる支柱が設けられる（図示省略）。なお、図形が設けられていない部分にも反射材が設けられている。
【００６９】
上記立体標識６０は、反射材６４が図形の幅方向に湾曲していることから、正面から自動車等の光が当たっても当該光を反射でき、斜め方向、横方向から当たっても当該光を反射できる。このため、立体標識６０を自動車等から認識しやすい。更に、発光ダイオード等の光源を設けなくても広い認識角を得ることができ、防水の必要性もない。特に、プリズム型の反射材は一方向からの光に対して強く反射するので、これを湾曲して設けることで強い反射光を得ることができる。
【００７０】
以上、この立体標識６０によればあらゆる角度からの光を反射でき、軽量かつ簡易な構造で周囲に注意を促すことができる。なお、同図では進入禁止の標識を例に挙げて説明したがこれに限定されるものではなく、歩行者専用道路等でもよい。特にドライバーの正面でない位置で認識しなければならない交通標識に有用である。また、図４３に示すように、湾曲部６５は、金属板をプレスして成形するようにしてもよい。
【００７１】
（実施の形態１３）
図４４は、この発明の実施の形態１３にかかる立体標識を示す斜視図である。図４５は、図４４の立体標識を示す断面図である。この立体標識７０は、立体看板であって板状の本体７１の片面には、広告を表す文字が設けられている。この文字を構成する部分は、その幅方向の断面形状がかまぼこ形の湾曲面７５となる。即ち、当該立体標識は本体７１に文字を立体的に表した立体部７２を有し、この立体部７２が湾曲面７５を備えたものである。
【００７２】
前記湾曲面７５には、実施の形態１に示したプリズム型反射材が設けられる。この結果、当該反射材７４が幅方向に湾曲して設けられることになる。なお、文字が設けられていない部分にも異なる色の反射材が設けて良い。
【００７３】
上記立体標識７０は、反射材７４が文字の幅方向に湾曲していることから、正面から光が当たっても当該光を反射でき、斜め方向、横方向から当たっても当該光を反射できる。このため、立体標識７０を周囲から認識しやすい。更に、発光ダイオード等の光源を設けなくても広い認識角を得ることができ、防水の必要性もない。特に、プリズム型の反射材は一方向からの光に対して強く反射するので、これを湾曲して設けることで強い反射光を得ることができる。
【００７４】
以上、この立体標識７０によればあらゆる角度からの光を反射でき、軽量かつ簡易に構成できる。なお、同図では文字を例に挙げて説明したがこれに限定されるものではなく、図形でもよい。
【符号の説明】
【００７５】
１００  反射タスキ
１  タスキ本体
２  立体部
３  クッション材
４  反射材
５  湾曲面
【図１】
2011164481.tif 000003
【図２】
2011164481.tif 000004
【図３】
2011164481.tif 000005
【図４】
2011164481.tif 000006
【図５】
2011164481.tif 000007
【図６】
2011164481.tif 000008
【図７】
2011164481.tif 000009
【図８】
2011164481.tif 000010
【図９】
2011164481.tif 000011
【図１０】
2011164481.tif 000012
【図１１】
2011164481.tif 000013
【図１２】
2011164481.tif 000014
【図１３】
2011164481.tif 000015
【図１４】
2011164481.tif 000016
【図１５】
2011164481.tif 000017
【図１６】
2011164481.tif 000018
【図１８】
2011164481.tif 000019
【図１９】
2011164481.tif 000020
【図２０】
2011164481.tif 000021
【図２２】
2011164481.tif 000022
【図２３】
2011164481.tif 000023
【図２４】
2011164481.tif 000024
【図２５】
2011164481.tif 000025
【図２６】
2011164481.tif 000026
【図２７】
2011164481.tif 000027
【図２８】
2011164481.tif 000028
【図２９】
2011164481.tif 000029
【図３０】
2011164481.tif 000030
【図３１】
2011164481.tif 000031
【図３２】
2011164481.tif 000032
【図３３】
2011164481.tif 000033
【図３４】
2011164481.tif 000034
【図３５】
2011164481.tif 000035
【図３６】
2011164481.tif 000036
【図３７】
2011164481.tif 000037
【図３８】
2011164481.tif 000038
【図３９】
2011164481.tif 000039
【図４０】
2011164481.tif 000040
【図４１】
2011164481.tif 000041
【図４２】
2011164481.tif 000042
【図４３】
2011164481.tif 000043
【図４４】
2011164481.tif 000044
【図４５】
2011164481.tif 000045
【図１７】
2011164481.tif 000046
【図２１】
2011164481.tif 000047